(57)【要約】【課題】ドア側の磁石と床面に揺動自在に設置された磁性体からなるプレートとを吸着させることにより、ドアを全開位置に固定することができる戸当りであって、ドアの仮止めおよび解除を容易に行なうことができるとともに必要に応じて強固なロックも可能な戸当りを提供する。【解決手段】台座に上下に揺動自在に取り付けられた磁性体プレート、およびドアの下部に固定された磁石を有する戸当りであって、前記プレートが磁石に吸着されたときに当該プレートを引き抜き可能な第１の係止力で一時的に磁石に係止する仮止め機構と、前記仮止め機構に係止されるプレートを、外部からの操作で、前記第１の係止力より大きな第２の係止力でプレートのロックおよび解除を行なうロック機構とを具備してなる戸当り。【選択図】　　　　図１
2004027551.tif 000002
【特許請求の範囲】
【請求項１】
（ａ）床面に固定された台座、
（ｂ）磁性体からなり、前記台座に上下に揺動自在に取り付けられたプレート、および
（ｃ）ドアの下部に固定された磁石を有する戸当りであって、
（ｄ）前記プレートが磁石に吸着されたときに当該プレートを引き抜き可能な第１の係止力で一時的に磁石に係止する仮止め機構と、
（ｅ）前記仮止め機構に係止されるプレートを、外部からの操作で、前記第１の係止力より大きな第２の係止力でプレートのロックおよび解除を行なうロック機構とを具備してなる戸当り。
【請求項２】
前記仮止め機構が、上向きに突出するフックと、該フックを上方へ付勢する弾性手段とからなり、
前記プレートには、前記仮止め機構のフックに係合するための下向きに突出する突起が設けられてなる請求項１記載の戸当り。
【請求項３】
前記ロック機構が、前記磁石に揺動自在に設けられた爪アームからなり、
前記プレートには爪アームに係合する凹部が形成されてなる請求項１または２記載の戸当り。
【請求項４】
前記爪アームが中立位置を越えて揺動するときに、当該爪アームを上方位置および下方位置のうちのいずれか一方へ付勢させるための付勢手段をさらに備えてなる請求項３記載の戸当り。
【請求項５】
前記爪アームの爪部が、前記プレートの先端から遠ざかる方向に曲げられてなる請求項３または４記載の戸当り。
【請求項６】
前記爪アームを所定の下方位置に停止させるためのストッパがさらに設けられてなる請求項３、４または５記載の戸当り。
【発明の詳細な説明】
【０００１】
【発明の属する技術分野】
本発明は戸当りに関する。さらに詳しくは、ドア側の磁石と床面に揺動自在に設置された磁性体からなるプレートとを吸着させることにより、ドアを全開位置に固定することができる戸当りであって、ドアの仮止めおよび解除を容易に行なうことができるとともに必要に応じて強固なロックも可能な戸当りに関する。
【０００２】
【従来の技術】
従来より、図１５〜１６に示すように、ドア５０の開閉によりドア５０またはノブ５１が壁またはドア５０周辺の家具やキャビネット５２などに衝突し、これらに損傷が生じるのを防ぐために戸当り５３がドア５０の付近の床５４に設けられている。
【０００３】
かかる戸当り５３としては、床５４に立設される雄ねじ（図示せず）に螺着される基部５５と、該基部５５の上部に固着される緩衝体５６とからなるものがある。
【０００４】
また、ドア５０を開放状態にしておくために、前記基部５５内に差し込まれているＵ字状の止め金具５７を引き抜き、ドア５０の側面に設けられた鉤付き座金５８の鉤部５９に係止するようにしている。
【０００５】
【発明が解決しようとする課題】
しかしながら、前記戸当り５３では、常時床５４に立設されているため、前記ドア５０が戸当り５３に固定されていない場合、歩行中誤って戸当り５３に蹴つまづいてしまう惧れがある。
【０００６】
また、運搬物、たとえばキャビネット５２を移動させる際に、邪魔になるし、誤ってキャビネット５２が戸当り５３に衝突すると、キャビネット５２がへこんだり、戸当り５３が変形する惧れがある。さらに、床掃除をする際に邪魔になっていた。
【０００７】
さらに、従来の戸当り５３は、常時床５４に立設されているため、床５４の上に異物が突出しているように見え、美観上好ましくない。
【０００８】
一方、床から出没自在の戸当りも種々検討されており、従来より知られている出没自在の戸当りとして、磁石を用いた戸当りなどがある。特許公報第２９９０６０１号および特開平１０−１１５５１３９号公報に記載された磁石を用いた戸当りは、たとえば、床面に揺動自在に設置された磁性体プレートを、ドア側の磁石に吸着させることによりドアを全開位置に固定している。
【０００９】
しかし、これらの戸当りは、磁石の吸着力のみでドアの固定を行なっているため、一時的にドアを全開状態に仮止めしたり、または再び仮止めを解除しようとしても、吸着力が弱すぎてドアの仮止めが不充分であるなどの問題がある。
【００１０】
また、ドアを全開状態に確実にロックしようとした場合に、磁石の吸着力のみではドアの保持力が充分に得られないなどの問題がある。
【００１１】
本発明はかかる問題を解消するためになされたものであり、ドア側の磁石と床面に揺動自在に設置された磁性体からなるプレートとを吸着させることにより、ドアを全開位置に固定することができる戸当りであって、ドアの仮止めおよび解除を容易に行なうことができるとともに必要に応じて強固なロックも可能な戸当りを提供することを目的とする。
【００１２】
【課題を解決するための手段】
本発明の戸当りは、（ａ）床面に固定された台座、
（ｂ）磁性体からなり、前記台座に上下に揺動自在に取り付けられたプレート、および
（ｃ）ドアの下部に固定された磁石を有する戸当りであって、
（ｄ）前記プレートが磁石に吸着されたときに当該プレートを引き抜き可能な第１の係止力で一時的に磁石に係止する仮止め機構と、
（ｅ）前記仮止め機構に係止されるプレートを、外部からの操作で、前記第１の係止力より大きな第２の係止力でプレートのロックおよび解除を行なうロック機構とを具備してなることを特徴とする。
【００１３】
前記仮止め機構が、上向きに突出するフックと、該フックを上方へ付勢する弾性手段とからなり、
前記プレートには、前記仮止め機構のフックに係合するための下向きに突出する突起が設けられてなるのが好ましい。
【００１４】
前記ロック機構が、前記磁石に揺動自在に設けられた爪アームからなり、
前記プレートには爪アームに係合する凹部が形成されてなるのが好ましい。
【００１５】
前記爪アームが中立位置を越えて揺動するときに、当該爪アームを上方位置および下方位置のうちのいずれか一方へ付勢させるための付勢手段をさらに備えてなるのが好ましい。
【００１６】
前記爪アームの爪部が、前記プレートの先端から遠ざかる方向に曲げられてなるのが好ましい。
【００１７】
前記爪アームを所定の下方位置に停止させるためのストッパがさらに設けられてなるのが好ましい。
【００１８】
【発明の実施の形態】
つぎに図面を参照しながら本発明の戸当りを詳細に説明する。図１は本発明の戸当りの一実施の形態を示す斜視説明図、図２の図１の磁石の側面図、図３は図２の磁石の爪アームが下方位置にある状態を示す側面図、図４は図３の磁石の正面図、図５は図１の磁石の断面説明図、図６は図１の爪アームおよび回転軸の斜視図、図７は図１の本体部分の平面説明図であって、（ａ）は台座を上から見た図、（ｂ）はプレートを上から見た図ならびに（ｃ）は軸押さえ板を上から見た図、図８は図１のプレートが磁石に仮止め前の状態を示す断面説明図、図９は図１のプレートが磁石に仮止めされた状態を示す断面説明図、図１０は図１のプレートが磁石にロックされた状態を示す断面説明図、図１１は本発明の戸当りの他の実施の形態であるねじりコイルバネを用いた爪アームの回転位置を規定する機構の要部拡大正面図、図１２は本発明の戸当りのさらに他の実施の形態であるストッパを有する固定板の平面図、図１３は図１２のストッパにカムが当接した状態を示す説明図、および図１４は図１３のカムの（ａ）正面図および（ｂ）上から見た図である。
【００１９】
図１に示される戸当りは、大きく分けて床面に設置された本体部分１と、ドアＤに固着される磁石２とから構成されている。
【００２０】
本体部分１は、図１および図７に示されるように、床面にネジなどで固定されたナイロン、ポリアセタールなどのエンジニアリング樹脂や亜鉛合金などからなる台座３に、鉄などの磁性体からなるプレート４が揺動自在に取り付けられている。本体部分１の設置方法については、本発明ではとくに限定するものではなく、図１のように床面に設置してもよいし、または床に形成される埋設穴に埋設してもよい。
【００２１】
本体部分１は、図７（ａ）〜（ｃ）に示されるように、台座３と、プレート４と、軸押さえ板５とから構成されている。
【００２２】
プレート４には、後述する磁石２下側に設けられた仮止め機構６のフック１５（図５参照）に係合し得る、下方突起７（図７および図９参照）がプレート４の先端部を下方に突出させることにより形成されている。
【００２３】
なお、下方突起７は、プレート４の先端を下面側に折り返すことによって形成してもよい。
【００２４】
さらに、プレート４の中央付近には、後述するロック機構８の爪アーム１８の爪部１８ａ（図５〜６参照）に係合し得る係合凹部９が形成されている。係合凹部９は、図７（ｂ）に示されるようにプレート４の一部を凹ませたものでもよいし、または貫通孔でもよい。
【００２５】
プレート４は、鉄やスチールなどの磁性体材料により作製され、たとえば図７（ｂ）および図８〜１０に示されるように、１枚の薄い鉄板をプレス加工したり、または２枚以上の金属板を積層してもよい。プレート４の下方突起７および係合凹部９の形状は、本発明においてとくに限定されるものではなく、前記フック１５および爪部１８ａの形状に対応するように選定すればよく、たとえば図７（ｂ）に示される矩形形状の凹部や孔を採用することができる。
【００２６】
台座３には、プレート４を収容する矩形の開口部３ａが形成されている。プレート４は、台座３の開口部３ａに下方から挿入され、プレート４の後端両側に突設された軸部１０は、下方に開いた一対の軸受凹部３ｂに回転自在に挿入されている。
【００２７】
図７（ａ）に示されるように、一対の軸受凹部３ｂは、台座３の下面にかしめまたは接着などにより固着された軸押さえ板５によって閉塞されているので、軸部１０が台座３の軸受凹部３ｂから脱落する心配がない。また、図７（ｃ）に示されるように、軸押さえ板５の中央部には、突片５ａが前方に突設されている。突片５ａは、プレート４の下方への落込みを防止している。
【００２８】
また、図７（ａ）、図８〜１０に示されるように、台座３の下面には、プレート４が磁石２に衝突するときにプレート４の後端に当接し得る当接部３ｃが設けられ、さらに当接部３ｃの後方側に近接してネジ孔３ｄにはネジ（図示せず）が挿入されている。そのため、磁石２に衝突したときにプレート４が受ける衝撃を当接部３ｃおよびネジ孔３ｄに挿入されたねじで受けることができ、プレート４の軸部１０（図７（ｂ）参照）などの破損を防止することができる。
【００２９】
しかも、プレート４の軸部１０には、プレート４の揺動角度を規制するための傾斜部１０ａが、プレート４の後方（図７（ｂ）では右方向）へ向かうにつれて上昇する方向に形成されている。そのため、プレート４が所定の揺動角度（たとえば３０度程度）まで上方へ揺動すれば、傾斜部１０ａが台座３の下面に面接触することによって、プレート４の揺動角度を正確に規制することができる。
【００３０】
磁石２は、図１および図５に示されるように、ドアＤの下面にネジなどによって固着されたケース１１と、当該ケース６の下面開口１１ａから露出するように収容された磁石本体１２と、前記プレート４を仮止めするための仮止め機構６と、前記プレート４をロックするためのロック機構８と、ケース１１の上面を覆うキャップ１３とから構成されている。
【００３１】
ケース１１の下面１１ｃは、後方に向かうにつれて上昇するように傾斜しており、上方に揺動したプレート４と磁石本体１２とがぴったりと面接触できるようになっている。
【００３２】
仮止め機構６は、図５に示されるように、磁石２の下面に吸着されたプレート４を仮止めするために、プレート４の下方突起７（図９参照）に係合する上向きに突出するフック１５と、フック１５を上方へ付勢するための圧縮コイルバネ１６とからなる。仮止め機構６がプレート４を仮止めすることにより、磁石２の吸着力の強弱にかかわらず容易かつ確実にドアＤの仮止めが可能になる。この仮止め機構６により、プレート４が磁石２に吸着されたときにプレート４を引き抜き可能な程度の弱い係止力で一時的に磁石に係止することができる。
【００３３】
フック１５の縦方向に延びる背骨部１５ａは、前記ケース１１の背板部１１ｄに形成された縦溝１１ｅによって垂直方向に摺動自在に案内されている。圧縮コイルバネ１６は、ケース１１内部の固定板１７と背骨部１５ａ上端に突設されたバネ押え１５ｂとのあいだに圧縮状態で挟まれている。それにより、フック１５は、圧縮コイルバネ１６の付勢力により常時上方に付勢されている。
【００３４】
また、本実施の形態では、フック１５の背骨部１５ａに対して、磁石本体１２に吸着されたプレート４の先端が衝突するため、背骨部１５ａは、プレート４との衝突の際の衝撃を吸収できるように、合成樹脂で作製したり、表面にゴムなどを貼着するのが好ましい。同様に、ケース１１のドアＤに沿って下方に延びる部分もプレート４との衝突の際の衝撃を吸収できるように、合成樹脂で作製したり、表面にゴムなどを貼着すればよい。
【００３５】
ロック機構８は、図５に示されるように、前記仮止め機構６に係止されるプレート４を外部から手などによる操作によって、前記仮止め機構６の係止力よりも強い係止力でプレート４のロックおよび解除を行なうものである。図１〜６に示されるように、本実施の形態のロック機構８は、磁石２のケース１１に揺動自在に設けられた爪アーム１８からなる。爪アーム１８を手または足で揺動することにより、爪アーム１８の爪部１８ａを前記プレート４の係合凹部９に係合および離脱し、ドアＤの強固なロックおよびロック解除が可能になる。
【００３６】
爪アーム１８の両端部は、磁石２のケース１１内部に回転自在に支持された回転軸１９に固着されている。本実施の形態では、回転軸１９の両端部を、Ｄ字または矩形などの非円形断面形状に形成し、それに対応する嵌合孔を爪アーム１８の両端部に形成すれば、爪アーム１８と回転軸１９とは常時共回りすることができる。
【００３７】
回転軸１９のケース１１内の部分には、図５〜６に示されるように、爪アーム１８の回転位置を規定するための一対のカム２０が設けられている。カム２０の周面には、爪アーム１８の上方位置および下方位置をそれぞれ規定するための凹部２０ａ、２０ｂ、ならびに中立位置を規定するための凸部２０ｃが形成されている。また、カム２０の上側には、一対のカム２０の周面に当接する当接部材２１が設けられている。当接部材２１は、磁石２のキャップ１３内部に下向きに配設された圧縮コイルバネ２２の付勢力によって、常時カム２０の周面に押圧されている。
【００３８】
したがって、爪アーム１８が揺動するのにともなって、カム２０が回転するとき、当接部材２１はカム２０の周面を常時押圧しながら摺動する。このとき、カム２０は、当接部材２１が凹部２０ａ、２０ｂに嵌合しているときには停止するが、当接部材２１が凹部２０ａから凹部２０ｂに至る経路のあいだの区間に当接しているときは、カム２０は、当接部材２１に押されることにより、当接部材２１が凹部２０ａまたは凹部２０ｂに嵌合する位置まで回転する。それにより、爪アーム１８は、中立位置を越えて揺動するときに、爪アーム１８を上方位置および下方位置のうちのいずれか一方へ付勢させることができる。
【００３９】
また、爪アーム１８の回転位置を規定する本発明の他の実施の形態として、図１１に示されるように、前記回転軸１９に一対のカム３１が固着され、ねじりコイルバネ３２の一端３２ａがカム３１に回転自在に連結され、当該ねじりコイルバネ３２の他端３２ｂが前記磁石２のケース１１またはキャップ１３（図１および図５参照）に回転自在に連結されている。
【００４０】
図１１に示されるカム３１の位置が前記爪アーム１８の上方位置に対応し、カム３１を反時計方向に回転したときの符号３１ａで示される回転位置が爪アーム１８の下方位置に対応する。カム３１が、ねじりコイルバネ３２の付勢力により、図１１における符号３１または３１ａのいずれかへ付勢されることにより、爪アーム１８は、上方位置または下方位置のいずれか一方に付勢される。また、カム３１がほぼ真上に向いた位置は、爪アーム１８の中立位置に対応し、ねじりコイルバネ３２の付勢力は最大になる。
【００４１】
また、図６に示されるように、爪アーム１８の爪部１８ａは、プレート４の先端から遠ざかる方向に曲げられているため、爪アーム１８が下方位置にある状態で、ドアＤを開放させて爪部１８ａとプレート４とを衝突させたときでも、プレート４が爪部１８ａの外側の曲面に沿って下方へ潜りこむことにより、爪アーム１８を上方位置へ跳ね上げることができる。なお、爪アーム１８の爪部１８ａは、まっすぐに形成してもよい。
【００４２】
さらに、図１〜３に示されるように、磁石２のケース１１の両側面には、一対のストッパ２３が外向きに突設されているため、爪アーム１８を所定の下方位置に停止させることができる。
【００４３】
図１〜３に示されるストッパ２３は、ケース１１の外側に突設されているが、本発明はこれに限定されるものではなく、ケース１１内部にストッパを設けてもよい。たとえば、本発明の戸当りのさらに他の実施の形態として、図１２〜１３に示されるように、前記ケース１１内部に収納される固定板１７およびカム２０（図５〜６参照）の代わりに、ストッパ４２が上向きに突設された固定板４１と、段部４４が形成された一対のカム４３とからなる組合せを用いてもよい。ストッパ４２は、固定板４１とともに一体成形され、斜面４２ａが形成されている。
【００４４】
前記爪アーム１８が所定の下方位置にきたとき、図１３〜１４に示されるように、カム４３の段部４４がストッパ４２の斜面４２ａに当接することにより、爪アーム１８を所定の下方位置に停止させることができる。
【００４５】
この図１２〜１３に示されるストッパ４２は、前記磁石２のケース１１内部に収納されて外部から見えないので、磁石全体の見栄えがよくなる。
【００４６】
つぎに、図８〜１０を参照しながら本実施の形態の戸当りの使用方法の一例を説明する。まずドアＤを仮止めする場合には、図８に示されるような爪アーム１８が上方位置ある状態のまま、ドアＤを開ければ、図９に示されるように、床に伏せてあったプレート４が磁石２の吸引力により、立ち上がり、磁石２の下面に吸着する。それとともに、プレート４の先端に設けられた下方突起７が仮止め機構６のフック１５に係合することにより、容易かつ確実にドアＤの仮止めを行なうことができる。なお、ドアＤの仮止めを解除するときは、ドアＤをそのまま閉じるだけで、プレート４が磁石２の下面から容易に抜け出してドアＤの仮止めは解除される。
【００４７】
一方、強風が吹いているときなどドアＤを強固に開放状態にロックしたいときには、前述の図９に示されるドアＤの仮止めの状態から、さらに手または足で爪アーム１８を下方位置へ移動させることにより、爪アーム１８の爪部１８ａが係合凹部９に係合して、ドアＤを強固に開放状態にロックすることができる。さらに、ドアＤのロックを解除したいときには、再び手または足で爪アーム１８を上方位置へ移動させればよい。
【００４８】
【発明の効果】
本発明によれば、ドア側の磁石と床面に揺動自在に設置された磁性体からなるプレートとを吸着させることにより、ドアを全開位置に固定することができる戸当りであって、ドアの仮止めおよび解除を容易に行なうことができる。しかも、ドアの仮止め状態から、必要に応じて手動などで強固なロックを行なうことができる。
【００４９】
また、戸当りを使用しない場合には、本体部分のプレートが床面とほぼ面一になるため、歩行やキャビネットなど運搬物の移動を安定に行なうことができる。
【００５０】
しかも、ドアを全開にしていないときには、プレートが床面とほぼ面一になるため、ドア周辺の床面は平坦であり、美観を向上することができる。しかも、床面のフラット感を生かした玄関周りのエクステリア設計が可能になる。
【図面の簡単な説明】
【図１】本発明の戸当りの一実施の形態を示す斜視説明図である。
【図２】図１の磁石の側面図である。
【図３】図２の磁石の爪アームが下方位置にある状態を示す側面図である。
【図４】図３の磁石の正面図である。
【図５】図１の磁石の断面説明図である。
【図６】図１の爪アームおよび回転軸の斜視図である。
【図７】図１の本体部分の平面説明図であって、（ａ）は台座を上から見た図、（ｂ）はプレートを上から見た図ならびに（ｃ）は軸押さえ板を上から見た図である。
【図８】図１のプレートが磁石に仮止め前の状態を示す断面説明図である。
【図９】図１のプレートが磁石に仮止めされた状態を示す断面説明図である。
【図１０】図１のプレートが磁石にロックされた状態を示す断面説明図である。
【図１１】本発明の戸当りの他の実施の形態であるねじりコイルバネを用いた爪アームの回転位置を規定する機構の要部拡大正面図である。
【図１２】本発明の戸当りのさらに他の実施の形態であるストッパを有する固定板の平面図である。
【図１３】図１２のストッパにカムが当接した状態を示す説明図である。
【図１４】図１３のカムの（ａ）正面図および（ｂ）上から見た図である。
【図１５】従来のドアの固定状態を示す説明図である。
【図１６】従来の戸当りを示す説明図である。
【符号の説明】
１　本体部分
２　磁石
３　台座
４　プレート
【図１】
2004027551.tif 000003
【図２】
2004027551.tif 000004
【図３】
2004027551.tif 000005
【図４】
2004027551.tif 000006
【図５】
2004027551.tif 000007
【図６】
2004027551.tif 000008
【図７】
2004027551.tif 000009
【図８】
2004027551.tif 000010
【図９】
2004027551.tif 000011
【図１０】
2004027551.tif 000012
【図１１】
2004027551.tif 000013
【図１２】
2004027551.tif 000014
【図１３】
2004027551.tif 000015
【図１４】
2004027551.tif 000016
【図１５】
2004027551.tif 000017
【図１６】
2004027551.tif 000018